(57)【要約】【目的】ディジタル・スチル・カメラにおいて音楽を再生中にその音楽に適した画像を表示する。【構成】ディジタル・スチル・カメラを用いて音楽を再生する。その音楽の再生中に，再生中の音楽に適した被写体を撮影する。音楽ファイルのタイミング情報記録領域に，その被写体像を特定するデータを撮影タイミングに合わせて記録する。音楽ファイルの再生時には，タイミング情報記録領域に記録されたタイミングで画像が再生される。【選択図】図７
2008252901.tif 000002
【特許請求の範囲】
【請求項１】
メモリ・カードに記録されている音楽ファイルの曲名リストを表示画面に表示する手段，
上記表示画面に表示された音楽ファイルの曲名リストの中から再生すべき音楽の曲名を選択する手段，
選択した曲名の音楽を再生する手段，および
上記メモリ・カードに記録されている画像ファイルによって表される被写体像を，上記音楽を再生している間，表示する手段，
を備えた音楽再生機能付きディジタル・スチル・カメラ。
【請求項２】
曲名リストを表示する手段が，メモリ・カードに記録されている音楽ファイルの曲名リストを表示画面に表示し，
曲名を選択する手段が，上記表示画面に表示された音楽ファイルの曲名リストの中から再生すべき音楽の曲名を選択し，
音楽を再生する手段が，選択した曲名の音楽を再生し，
被写体像を表示する手段が，上記メモリ・カードに記録されている画像ファイルによって表される被写体像を，上記音楽を再生している間，表示する，
音楽再生機能付きディジタル・スチル・カメラの動作制御方法。
【発明の詳細な説明】
【技術分野】
【０００１】
この発明は，音楽の再生機能を有するディジタル・スチル・カメラおよびその動作制御方法ならびに画像と音楽とを再生する装置およびその動作制御方法に関する。
【背景技術】
【０００２】
ＣＣＤの高画素化，パーソナル・コンピュータの普及などにより，ディジタル・スチル・カメラを一般ユーザが使用するようになってきている。ディジタル・スチル・カメラによって撮影された被写体像は，表示装置に表示することもできるし，プリンタを用いて印刷することもできる。また，ネットワークの整備にともない，被写体像を表す画像データをユーザが所有するパーソナル・コンピュータからサーバに送信することもできるようになってきている。
【０００３】
ディジタル・スチル・カメラは，画像をディジタル的に記録するものであり，その特性を生かした機能はまだ模索されている状況である。
【発明の開示】
【０００４】
この発明は，ディジタル・スチル・カメラの特性を生かした新たな一形態を提供することを目的としている。
【０００５】
第１の発明によるディジタル・スチル・カメラは，シャッタ・レリーズ・ボタン，上記シャッタ・レリーズ・ボタンの押し下げに応答して，被写体を撮像し，被写体像を表す画像データを出力する撮像手段，音楽を再生する音楽再生手段，上記音楽再生手段により再生されている音楽の，上記シャッタ・レリーズ・ボタンが押されたときのタイミングを検出する撮像タイミング検出手段，および上記撮像タイミング検出手段により検出されたタイミングを表す撮像タイミング・データと，上記音楽再生手段により再生されている音楽を特定するための音楽特定データと，上記撮像手段から出力される画像データとを互いに関連づけて記録媒体に記録する記録制御手段を備えていることを特徴とする。
【０００６】
第１の発明は，上記カメラに適した動作制御方法も提供している。すなわち，この方法は，シャッタ・レリーズ・ボタンの押し下げに応答して，被写体を撮像し，被写体像を表す画像データを得，音楽を再生し，再生されている音楽の，上記シャッタ・レリーズ・ボタンが押されたときのタイミングを検出し，検出されたタイミングを表す撮像タイミング・データと，再生されている音楽を特定するためのデータと，上記撮像により得られた画像データとを互いに関連づけて記録媒体に記録するものである。
【０００７】
上記再生時刻データ，上記音楽特定データ，および上記画像データを互いに関連づけて，ネットワークを介して通信装置に送信するようにしてもよい。ネットワークを介して通信装置から各種のデータをダウンロードすることにより，次に述べるように音楽および画像を表示することができる。
【０００８】
第２の発明による画像音楽再生装置は，音楽を再生するための音楽データを読み取る音楽データ読み取り手段，上記音楽データ読み取り手段によって読み取られた音楽データにもとづいて音楽を再生する音楽再生手段，上記音楽の再生中において画像を表示するためのタイミングを表す画像表示タイミング・データおよび表示すべき画像を特定するための表示画像特定データを読み取る画像表示関連データ読み取り手段，画像データを読み取る画像データ読み取り手段，ならびに上記音楽再生手段により音楽を再生している間に，上記画像表示関連データ読み取り手段によって読み取られた上記画像表示タイミング・データによって表されるタイミングにもとづいて上記表示画像特定データによって特定される画像を表示する画像表示制御手段を備えていることを特徴とする。
【０００９】
第２の発明は，上記装置に適した方法も提供している。すなわち，この方法は，音楽を再生するための音楽データおよび画像データを読み取り，読み取られた音楽データにもとづいて音楽を再生し，上記音楽の再生中において画像を表示するためのタイミングを表す画像表示タイミング・データおよび表示すべき画像を特定するための表示画像特定データを読み取り，音楽を再生している間に，読み取られた上記画像表示タイミング・データによって表されるタイミングにもとづいて上記表示画像特定データによって特定される画像を表示するものである。
【００１０】
ネットワークを介して，上記音楽データ上記画像タイミング・データ，上記表示画像特定データおよび上記画像データの少なくとも１つの画像データを受信することによりデータを読み取るようにしてもよい。
【００１１】
この発明によると，上記ディジタル・スチル・カメラによって音楽の再生が可能である。この音楽の再生中にシャッタ・レリーズ・ボタンが押され，被写体が撮像される。
【００１２】
シャッタ・レリーズ・ボタンが押されたときのタイミングを表わす撮像タイミング・データと，再生されている音楽を特定するための音楽特定データと，撮像により得られた画像データとが互いに関連づけられて記録媒体に記録される。
【００１３】
このような記録媒体を再生するときには，記録媒体から音楽データおよび画像データを読み取り，読み取られた音楽データにもとづいて音楽を再生する。音楽の再生中において画像を表示するためのタイミングを表す画像表示タイミング・データおよび表示すべき画像を特定するための表示画像特定データを読み取り，音楽を再生している間に，読み取られた画像表示タイミング・データによって表されるタイミングにもとづいて表示画像特定データによって特定される画像が表示される。
【００１４】
音楽を再生するときに，その音楽にあわせて，画像が表示されることとなる。ユーザの好きな画像（音楽に適した画像）を音楽の再生中においてユーザの好きなタイミングで表示することができるようになる。
【００１５】
第３の発明による音楽再生機能付きディジタル・スチル・カメラは，音楽を再生する音楽再生手段，上記音楽再生手段により再生される音楽の歌詞を表す対象画像データを出力する撮像手段，および上記音楽と上記音楽に対応する歌詞とが対応するように，上記音楽を表す音楽データと上記撮像手段から出力される対象画像データとを互いに関連づけて記録媒体に記録する記録制御手段を備えていることを特徴とする。
【００１６】
第３の発明は，上記カメラに適した動作制御方法も提供している。すなわち，この方法は，音楽を再生し，再生される音楽の歌詞を表す対象画像を撮像し，対象画像を表す画像データを得，上記音楽と上記音楽の歌詞とが対応するように，上記音楽を表す音楽データと撮像により得られた対象画像データとを互いに関連づけて記録媒体に記録するものである。
【００１７】
第３の発明によると，音楽とその音楽の歌詞とを関連づけて記録媒体に記録することができる。音楽の再生時において，音楽を再生しながら，その音楽の歌詞を音楽に対応して表示することができるようになる。
【実施例】
【００１８】
図１は，この発明の実施例を示すもので，ディジタル・スチル・カメラの外観を示している。
【００１９】
ディジタル・スチル・カメラ１は，モデムを内蔵しており，携帯電話40とデータ通信が可能である。携帯電話40を用いてネットワークに接続することができ，ディジタル・スチル・カメラ１に記憶されている画像データを画像サーバに送信することができる。
【００２０】
また，ディジタル・スチル・カメラ１は音楽ファイル（音楽データ）の再生が可能である。このためにディジタル・スチル・カメラ１には，ヘッドフォン45を接続することができる。
【００２１】
ディジタル・スチル・カメラ１は，メモリ・カード６を着脱自在に装着することができる。ディジタル・スチル・カメラ１によって撮影した被写体像を表す画像ファイル（画像データ）をメモリ・カード６に記憶でき，メモリ・カード６に記憶されている画像ファイルを再生することもできる。また，メモリ・カード６に音楽ファイルを記録することもでき，上述したようにメモリ・カード６に記憶されている音楽ファイルを再生することもできる。
【００２２】
図２は，ディジタル・スチル・カメラ１の背面図である。
【００２３】
ディジタル・スチル・カメラ１の背面には，その左上部にビュー・ファインダ２が形成されている。ビュー・ファインダの右側には，後述するように，液晶表示装置４に表示されるカーソル５を動かすためのカーソル・キー３が形成されている。ビュー・ファインダ２およびカーソル・キー３の下に液晶表示装置の表示画面４が設けられている。
【００２４】
ディジタル・スチル・カメラ１の上面には，シャッタ・レリーズ・ボタン７が設けられている。
【００２５】
図３は，ディジタル・スチル・カメラの電気的構成を示すブロック図である。
【００２６】
ディジタル・スチル・カメラ１の全体の動作は，メインＣＰＵ10によって統括される。
【００２７】
上述したカーソル・キー３の押し下げを示す信号およびシャッタ・レリーズ・ボタン７の押し下げを示す信号は，メインＣＰＵ10に入力する。また，ディジタル・スチル・カメラ１には，上述したカーソル・キー３の他にモード設定ダイアル，電源スイッチなどの各種設定スイッチ22が含まれている。設定スイッチ22の設定を示す信号もメインＣＰＵ10に入力する。
【００２８】
ディジタル・スチル・カメラ１には，操作表示用の液晶表示装置21も設けられている。
【００２９】
電源回路24によって，各回路に動作電源が供給される。
【００３０】
ディジタル・スチル・カメラ１には，測光測距ＣＰＵ16が含まれており，この測光測距ＣＰＵ16により，撮像光学系11に含まれるフォーカス・レンズのフォーカシング制御，絞りの制御が行われる。また，測光測距ＣＰＵ16により，ストロボ18の発光を制御する充電発光制御回路17が制御される。さらに，測光測距ＣＰＵ16によりクロック・ジェネレータ19も制御される。測光測距ＣＰＵ16とメインＣＰＵ10との間においてＣＰＵ間通信が可能とされている。
【００３１】
撮像光学系11により，被写体像がＣＣＤ12の受光面に結像する。ＣＣＤ12から被写体像を表す映像信号が出力され，信号処理回路13に入力する。映像信号は，信号処理回路13において白バランス調整，ガンマ補正などの信号処理が施される。信号処理回路13からの出力信号は，アナログ／ディジタル変換回路14に入力し，ディジタル画像データに変換される。変換されたディジタル画像データは，シャッタ・レリーズ・ボタン７が押されたときには，バッファ・メモリ15に一時的に記憶される。シャッタ・レリーズ・ボタン７が押されていないときには，画像データは，バッファ・メモリ15を単に通過する。
【００３２】
バッファ・メモリ15を通過した画像データは，ＹＣ／ＲＧＢ変換回路27を介してドライバ28に与えられ，撮像によって得られた被写体像が液晶表示装置４（表示画面と同じ符号を用いる）の表示画面に表示される。
【００３３】
シャッタ・レリーズ・ボタン７が押されたときには，アナログ／ディジタル変換回路14から出力された画像データは，バッファ・メモリ15に一時的に記憶される。画像データは，バッファ・メモリ15から読み出され，ＹＣ処理回路20に入力する。ＹＣ処理回路20において輝度データおよび色差データが生成される。
【００３４】
輝度データおよび色差データは，圧縮伸張回路21に与えられ，データ圧縮処理が施される。データ圧縮された輝度データおよび色差データがインターフェイス22を介してメモリ・カード６に与えられ，記憶される。
【００３５】
ディジタル・スチル・カメラ１には，音楽ファイル伸張処理回路25も含まれている。
【００３６】
音楽ファイルがメモリ・カード６から読み出され，インターフェイス22および圧縮伸張回路に21を通過して，音楽ファイル伸張処理回路25に与えられる。圧縮されている音楽ファイルは，音楽ファイル伸張処理回路25においてデータ伸張される。伸張された音楽ファイルは，音楽データ／アナログ変換回路33に与えられ，アナログの音楽信号に変換される。アナログ音楽信号が増幅回路34において増幅され，ヘッドフォン45に与えられることにより，ヘッドフォン45から音楽が出力される。
【００３７】
ディジタル・スチル・カメラ１には，上述したように携帯電話40とデータ通信が可能である。このために，通信インターフェイス26が内蔵されている。
【００３８】
さらに，ディジタル・スチル・カメラ１には，文字データ発生回路31およびタイミング発生回路32が含まれている。
【００３９】
図４は，メモリ・カード６の記憶領域のファイル構成を示している。
【００４０】
メモリ・カード６の記憶領域には，管理領域，画像ファイル記録領域および音楽ファイル記録領域が含まれている。
【００４１】
管理領域には，メモリ・カード６の記録領域に記録されるデータを管理する管理データが，記録されている。画像ファイル記録領域には，被写体を撮像することにより得られた画像ファイルが記録されている。音楽ファイル記録領域には，音楽ファイルが記録されている。
【００４２】
図５および図６は，ディジタル・スチル・カメラ１の処理手順を示すフローチャートである。図７は，ディジタル・スチル・カメラ１において，音楽ファイルを再生中にシャッタ・レリーズ・ボタン７が押されたときのその再生音楽と音楽ファイルとの関係を示している。
【００４３】
ディジタル・スチル・カメラ１の電源がオンとされると図５に示す処理が開始する。
【００４４】
設定スイッチ22により，音楽再生モードとされると（ステップ51でＹＥＳ），ディジタル・スチル・カメラ１にメモリ・カード６が装着されているかどうかが確認される（ステップ52）。メモリ・カード６が装着されていると（ステップ52でＹＥＳ），そのメモリ・カード６に記憶されている内容が読み出され（ステップ53），バッファ・メモリ15に一時的に記憶される。
【００４５】
メモリ・カード６に記憶されている音楽ファイルによって出力可能な音楽の曲名を表すデータがバッファ・メモリ15から読み出され，ＹＣ／ＲＧＢ変換回路27を介してドライバ28に与えられる。ディジタル・スチル・カメラ１の液晶表示装置４の表示画面上に曲名リストが表示される（ステップ54）。表示画面上に曲名リストが表示された様子が図２に示されている状態である。
【００４６】
カーソル・キー３を操作することにより，表示画面上に表示されるカーソル５が上下に移動する。再生すべき音楽の曲名をカーソル５で指し，設定スイッチ22に含まれる実行ボタンが押されることにより，曲名が選択される（ステップ55）。選択された曲名に対応する音楽ファイルがバッファ・メモリ15から読み出され，音楽ファイル伸張処理回路25に入力する。音楽ファイルは，音楽ファイル伸張処理回路25において伸張され，音楽データ／アナログ変換回路33において音楽信号に変換された後に増幅回路34において増幅される。ヘッドフォン45から音楽が再生される（ステップ57）。
【００４７】
ユーザは，再生している音楽に関連する被写体を探し，シャッタ・レリーズ・ボタン７を押す（ステップ58）。被写体が撮影され，被写体像を表す画像データが上述したようにメモリ・カード６に記録される（ステップ59）。
【００４８】
音楽ファイルは，図７に示すように，１つの音楽ファイルが多数のオーディオ・フレームから構成されている。１つのオーディオ・フレームは，たとえば，数秒の音楽を出力する音楽データが記憶されている。オーディオ・フレームの次の領域にタイミング情報記録領域が形成されている。シャッタ・レリーズ・ボタン７が押されたタイミングの時間に相当するオーディオ・フレームに対応するタイミング情報記録領域に，そのオーディオ・フレームに記憶されている音楽データが表す音楽の出力中にシャッタ・レリーズ・ボタン７が押されたことを示すデータおよび撮影によって得られた被写体像を表わす画像ファイルを特定するためのデータが記憶される。タイミング情報記録領域に，これらのデータが記録された音楽ファイルがバッファ・メモリ15から読み出され，メモリ・カード６の音楽ファイル記録領域に記録される（ステップ60）。
【００４９】
音楽の再生が終了するまでステップ58からステップ60までの処理が繰り返される（ステップ61）。
【００５０】
図８および図９は，上述のようにしてタイミング情報記録領域に，シャッタ・レリーズ・ボタン７が押されたことを示すデータおよび被写体を表わす画像ファイルを特定するためのデータが記録された音楽ファイルを再生するときの処理手順を示すフローチャートである。
【００５１】
図５に示す処理と同様に，ディジタル・スチル・カメラ１の電源がオンとされ再生モードが設定される（ステップ71）。ディジタル・スチル・カメラ１に装着されたメモリ・カード６からメモリ・カード６に記録されている内容が読み出され（ステップ72，73），液晶表示装置４の表示画面に曲名リストが表示される（ステップ74）。
【００５２】
液晶表示装置４の表示画面に表示されている曲名リストの中から再生すべき音楽の曲名がユーザによって選択されると（ステップ75），その選択された曲名の音楽が再生される（ステップ76，77）。
【００５３】
音楽の再生中において，シャッタ・レリーズ・ボタン７の押し下げがあったことを示すデータおよび被写体像を表わす画像ファイルを特定するデータが記録されているタイミング情報記録領域に対応するオーディオ・フレームの再生が開始すると（ステップ78），バッファ・メモリ15に一時的に記憶されている画像ファイルの中から被写体像を表わす画像ファイルを特定するデータによって特定される画像ファイルが読み出される。読み出された画像ファイルは，液晶表示装置４に与えられ，そのオーディオ・フレームによって表される音楽データの音楽が再生している間，表示される（ステップ79）（図10参照）。
【００５４】
タイミング情報記録領域にシャッタ・レリーズ・ボタン７の押し下げがあったことを示すデータおよび被写体像を表わす画像ファイルを特定するデータが記録されていると，そのタイミング情報記録領域に対応するオーディオ・フレームを再生している間，特定される被写体像がディジタル・スチル・カメラ１の液晶表示装置４の表示画面上に表示されることとなる。タイミング情報記録領域にシャッタ・レリーズ・ボタン７の押し下げがあったことを示すデータおよび被写体像を表わす画像ファイルを特定するデータが記録されてないときには，前に表示されている画像がそのまま表示される。もっとも，何も表示しないようにしてもよいのはいうまでもない。
【００５５】
ユーザによって選択されたすべての音楽の再生が終了すると，メモリ・カード６が取り替えられ，次の音楽が再生される（ステップ80）。
【００５６】
図11から図18は，他の実施例を示すものである。
【００５７】
図11は，この実施例の概要を示している。
【００５８】
画像サーバ84には，モデム85が接続されている。このモデム85を用いて画像サーバ84と携帯電話40とはネットワークを介して互いにデータ通信が可能である。ディジタル・スチル・カメラ１は，携帯電話40を用いてデータを画像サーバ84に送信することが可能となる。
【００５９】
画像サーバ84には，画像ファイル，音楽ファイルその他のデータを記憶するためのデータベース83が接続されている。データベース83に記憶されている画像ファイル，音楽ファイルその他のデータを，ディジタル・スチル・カメラ１に送信することができる。また，ディジタル・カメラ１から送信された画像ファイル，音楽ファイルその他のデータをデータベース83に記憶することができる。
【００６０】
図12および図13は，音楽を再生しながら被写体を撮影するときのディジタル・スチル・カメラの処理手順を示すフローチャートである。図14および図15は，画像サーバの処理手順を示すフローチャートである。
【００６１】
携帯電話40と接続されたディジタル・スチル・カメラ１の電源がオンとされ，携帯電話40を用いて画像サーバ84と接続される（ステップ91，92でＹＥＳ）。ディジタル・スチル・カメラ１から画像サーバ84に曲名リスト送信要求が送信される。
【００６２】
画像サーバ84は，携帯電話40からの電話が着信すると（ステップ111 ），曲名リスト送信要求の受信かどうかが確認される（ステップ112 ）。曲名リストの送信要求であれば（ステップ112 でＹＥＳ），データベース83に記憶されているすべて（または一部）の音楽ファイルの曲名を表すデータが携帯電話40に送信される（ステップ115 ）。曲名リストの送信要求でなければ（ステップ112 でＮＯ），音楽ファイルの送信要求かどうかが確認される（ステップ113 ）。音楽ファイルの送信要求であれば（ステップ113 でＹＥＳ），その要求のあった音楽ファイルがデータベース83から見つけ出され，画像サーバ84から携帯電話40に送信される（ステップ114 ）。
【００６３】
ここでは，曲名リストの送信要求をディジタル・スチル・カメラ１から画像サーバ84に与えられたものとする。
【００６４】
ディジタル・スチル・カメラ１からの曲名リストの送信要求に応じて画像サーバ84から曲名リストを表すデータがディジタル・スチル・カメラ１に送信される。ディジタル・スチル・カメラ１において，曲名リストを表すデータが受信されると，上述した実施例と同様にして曲名リストがディジタル・スチル・カメラ１の液晶表示装置４の表示画面に表示される。ユーザは曲名リストの中から所望の曲を選択する（ステップ94）。選択された曲を表すデータの送信要求がディジタル・スチル・カメラ１から画像サーバに送信される。
【００６５】
画像サーバ84において，曲の送信要求が受信されると（ステップ112 でＮＯ，ステップ113 でＹＥＳ），その曲の音楽ファイルがデータベース83から見つけ出される。見つけ出された音楽ファイルが画像サーバ84からディジタル・スチル・カメラ１に送信される（ステップ114 ）。
【００６６】
ディジタル・スチル・カメラ１において，音楽ファイルが受信される（ステップ95）。受信した音楽ファイルは，ディジタル・スチル・カメラ１のバッファ・メモリ15に一時的に記憶される。音楽ファイルは，音楽ファイル伸張処理回路25において伸張され，ヘッドフォン45から出力される（ステップ96）。音楽の再生中にシャッタ・レリーズ・ボタン７が押されると（ステップ97），被写体像を表す画像データおよびその登録要求が携帯電話40を通して画像サーバ84に送信される（ステップ98）。
【００６７】
画像サーバ84において，ディジタル・スチル・カメラ１からの画像データの登録要求および画像データが受信されると（ステップ116 でＹＥＳ，ステップ117 ），受信した画像データがディジタル・スチル・カメラ１のユーザごとにデータベース83に登録される（ステップ118 ）。
【００６８】
また，音楽の再生中においてシャッタ・レリーズ・ボタン７が押されたことを表すデータ，再生中の音楽のどのタイミングで押されたかを表すデータ，再生中の音楽の特定するためのデータおよび撮影によって得られた被写体像を特定するためのデータがタイミング情報として，タイミング情報の登録要求とともにディジタル・スチル・カメラ１から画像サーバ84に送信される（ステップ99）。
【００６９】
画像サーバ84において，タイミング情報の登録要求を受信すると（ステップ119 でＹＥＳ），その後にディジタル・スチル・カメラ１から送信されるタイミング情報を受信し（ステップ121 ），対応する音楽ファイルのオーディオ・フレームの次のタイミング情報記録領域に記録する。これによりタイミング情報が記録された新たな音楽ファイルが生成される。生成された音楽ファイルは，データベース83に記憶される（ステップ122 ）（タイミング情報の登録）。
【００７０】
図16から図18は，タイミング情報がタイミング情報記録領域に記録されている音楽ファイルを再生するときの処理手順を示すフローチャートである。図16および図17は，ディジタル・スチル・カメラ１の処理手順を示すフローチャートであり，図18は，画像サーバ84の処理手順を示すフローチャートである。
【００７１】
携帯電話40を用いてディジタル・スチル・カメラ１が画像サーバ84に接続される（ステップ131 ，ステップ151 ，ステップ132 でＹＥＳ）。ディジタル・スチル・カメラ１から画像サーバ84に曲名リストの送信要求が送信されると，画像サーバ84からディジタル・スチル・カメラ１に曲名リストを表すデータが送信される（ステップ152 でＹＥＳ，155 ）。
【００７２】
ディジタル・スチル・カメラ１において，曲名リストを表すデータが受信されると（ステップ133 ），ディジタル・スチル・カメラ１の液晶表示装置４の表示画面に曲名リストが表示される。ユーザによって，曲名が選択され，この曲名に対応する音楽ファイルが画像サーバ84からディジタル・スチル・カメラ１に送信される（ステップ134 ，153 でＹＥＳ，154 ，135 ）。選択された音楽ファイルのタイミング情報記録領域に記録されているタイミング情報からその音楽ファイルに対応する画像ファイルがあるかどうかが確認される。対応する画像ファイルがある場合には（ステップ136 でＹＥＳ），画像データの送信要求がディジタル・スチル・カメラ１から画像サーバ84に送信される。
【００７３】
画像サーバ84においてディジタル・スチル・カメラ１からの画像データの送信要求を受信すると（ステップ157 でＹＥＳ），その要求のあった画像ファイルがデータベース83から探し出される。見つかった画像ファイルが画像サーバ84からディジタル・スチル・カメラ１に送信される（ステップ158 ）。ディジタル・スチル・カメラ１のユーザは，データベース83に記憶されている画像ファイルの内容を知っているのはいうまでもない。
【００７４】
ディジタル・スチル・カメラ１において，画像サーバ84から送信された画像ファイルが受信されバッファ・メモリ15に一時的に記憶される（ステップ137 ）。
【００７５】
音楽ファイルの再生が開始され，ヘッドフォン45から出力される（ステップ138 ）。上述した実施例と同様に再生されている音楽中においてタイミング情報が記録されているタイミング情報記録領域に対応するオーディオ・フレームが再生されているときに，対応する画像が液晶表示装置４の表示画面上に表示されることとなる（ステップ139 ）。
【００７６】
選択されたすべての音楽の再生が終了すると，再び再生すべき音楽の曲名が選択される（ステップ134 ）。
【００７７】
図19から図26は，さらに他の実施例を示すものである。この実施例は，音楽を再生し，その音楽に対応した歌詞を撮影し，音楽を再生するときにその音楽に合わせて対応する歌詞を表示するものである。
【００７８】
図19および図20は，ディジタル・スチル・カメラ１の処理手順を示すフローチャートであり，図21は，画像サーバ84の処理手順を示すフローチャートである。
【００７９】
ディジタル・スチル・カメラ１の電源がオンとされ，ディジタル・スチル・カメラ１が画像サーバ84に接続される（ステップ161 ，181 ，162 でＹＥＳ）。上述した実施例と同様にディジタル・スチル・カメラ１から曲名リストの要求が画像サーバ84に送信される。その曲名リスト送信要求に応じて画像サーバ84からディジタル・スチル・カメラ１に曲名リストを表わすデータが送信される（ステップ182 でＹＥＳ，185 ，163 ）。
【００８０】
ディジタル・スチル・カメラ１のユーザによって音楽ファイルが選択され（ステップ164 ），その選択された音楽ファイルの送信要求が，ディジタル・スチル・カメラ１から画像サーバ84に送信される。画像サーバ84からディジタル・スチル・カメラ１に要求された音楽ファイルが送信される（ステップ183 でＹＥＳ，184 ）。
【００８１】
ディジタル・スチル・カメラ１において音楽ファイルが受信され（ステップ165 ），音楽ファイル伸張処理回路25において伸張が開始される（ステップ166 ）。ヘッドフォン45から音楽が出力される。
【００８２】
音楽の再生中に，シャッタ・レリーズ・ボタン７が押され，再生している音楽に対応する歌詞が撮影される（ステップ167 でＹＥＳ，168 ）。撮影された歌詞を表す画像データは，テキスト・データに変換される（ステップ169 ）。
【００８３】
撮影された歌詞を示すテキスト・データおよびタイミング情報は，バッファ・メモリ15に一時的に記憶され（ステップ170 ），登録要求とともに画像サーバ84に送信される（ステップ171 ）。その音楽の再生が終了するまで，再生している音楽に対応した部分の歌詞の撮影が繰り返される（ステップ172 ）。
【００８４】
画像サーバ84において，テキストおよびタイミング情報の登録要求があると（ステップ186 でＹＥＳ），その登録要求につづいてディジタル・スチル・カメラ１から送信されるテキスト・データおよびタイミング情報が受信される（ステップ187 ）。
【００８５】
図22に示すように，音楽ファイルには，オーディオ・フレームに対応してタイミング情報記録領域およびテキスト情報記録領域が形成される。シャッタ・レリーズ・ボタン７の押し下げを示すタイミング・データが対応するタイミング情報記録領域に記録される。また変換されたテキスト・データが対応するテキスト情報記録領域に記録される。この音楽ファイルがデータベース83に記憶される（ステップ188 ）（テキストおよびタイミング情報の登録）。
【００８６】
上述の実施例においては，音楽の再生中にその再生している音楽の部分に対応した歌詞をその都度撮影しているが，音楽の歌詞のすべてまたはその一部を撮影しておき，その歌詞をディジタル・スチル・カメラ１の液晶表示装置４の表示画面に表示し，音楽を再生したときに対応する歌詞を指定するようにしてもよい。
【００８７】
図23（Ａ）および（Ｂ）は，ディジタル・スチル・カメラ１の液晶表示装置の表示画面４を示している。
【００８８】
図23（Ａ）を参照して，液晶表示画面４には，指示線８が表示される。液晶表示画面には，歌詞（ＡＢＣＤＥ）が表示されている。ディジタル・スチル・カメラ１のカーソル・キー３を押すことにより，スクロールされ液晶表示装置の表示画面に表示されている歌詞の次の歌詞が指示線８上に表示される。設定スイッチ22の中の実行ボタンが押されることにより，指示線８上に表示されている歌詞が再生中の音楽に対応する歌詞として上述のように，音楽ファイルのテキスト記録領域に記録される。
【００８９】
図23（Ｂ）を参照して，液晶表示画面４には，枠９が表示されている。この枠９は，カーソル・キー３を操作することにより，上下に移動可能である。設定スイッチ22の中の実行ボタンが操作されることにより，枠９により囲まれている歌詞（ＡＢＣＤＥ）が再生中の音楽に対応する歌詞として上述のように，音楽ファイルのテキスト記録領域に記録される。
【００９０】
図24および図25は，ディジタル・スチル・カメラ１の処理手順を示すフローチャートである。
【００９１】
上述した実施例と同様に，ディジタル・スチル・カメラ１は，画像サーバ84と接続される（ステップ191 ，ステップ192 でＹＥＳ）。画像サーバ84から曲名リストを表すデータが送信され，曲名リストがディジタル・スチル・カメラ１の液晶表示装置４の表示画面上に表示される（ステップ193 ）。曲名が選択されると（ステップ193 ），選択した曲名の音楽ファイルが画像サーバ84から送信され，受信される（ステップ194 ）。
【００９２】
受信した音楽ファイルに対応する画像ファイルがある場合には（ステップ195 でＹＥＳ），その画像ファイルが画像サーバ84から送信され，ディジタル・スチル・カメラ１において受信される（ステップ195 でＹＥＳ，196 ）。音楽ファイルが，音楽ファイル伸張処理回路25において伸張され，ヘッドフォン45から出力される（ステップ197 ）。また，再生中の音楽に対応して画像が液晶表示装置４に表示される（ステップ198 ）。
【００９３】
再生している音楽に対応する歌詞がテキスト・データとして音楽ファイルのテキスト記録領域に記録されている場合には（ステップ199 でＹＥＳ），再生中の音楽に対応した歌詞が液晶表示装置４の表示画面上に表示される（ステップ200 ）（図26参照）。画像と歌詞とが同時に表示されるときには，液晶表示装置４の表示画面の同じ領域に重ねて表示してもよいし，異なる領域に表示してもよい。
【００９４】
ディジタル・スチル・カメラ１のユーザによって選択されたすべての音楽ファイルの再生が終了すると，再び曲名の選択が行われる（ステップ201 ）。
【００９５】
再生している音楽に対応した歌詞が液晶表示装置４の表示画面上に表示されることとなる。
【図面の簡単な説明】
【００９６】
【図１】携帯電話と接続されているディジタル・スチル・カメラを示している。
【図２】ディジタル・スチル・カメラの背面図である。
【図３】ディジタル・スチル・カメラの電気的構成を示すブロック図である。
【図４】メモリ・カードのファイル構成を示している。
【図５】ディジタル・スチル・カメラの処理手順の一部を示すフローチャートである。
【図６】ディジタル・スチル・カメラの処理手順の一部を示すフローチャートである。
【図７】音楽を再生中にシャッタ・レリーズ・ボタンが押されたときの音楽と音楽ファイルとの関係を示している。
【図８】ディジタル・スチル・カメラの処理手順の一部を示すフローチャートである。
【図９】ディジタル・スチル・カメラの処理手順の一部を示すフローチャートである。
【図１０】ディジタル・スチル・カメラの背面図である。
【図１１】ディジタル・スチル・カメラと画像サーバとがネットワークを介してデータ通信するシステムの概要を示している。
【図１２】ディジタル・スチル・カメラの処理手順の一部を示すフローチャートである。
【図１３】ディジタル・スチル・カメラの処理手順の一部を示すフローチャートである。
【図１４】画像サーバの処理手順の一部を示すフローチャートである。
【図１５】画像サーバの処理手順の一部を示すフローチャートである。
【図１６】ディジタル・スチル・カメラの処理手順の一部を示すフローチャートである。
【図１７】ディジタル・スチル・カメラの処理手順の一部を示すフローチャートである。
【図１８】画像サーバの処理手順を示すフローチャートである。
【図１９】ディジタル・スチル・カメラの処理手順の一部を示すフローチャートである。
【図２０】ディジタル・スチル・カメラの処理手順の一部を示すフローチャートである。
【図２１】画像サーバの処理手順を示すフローチャートである。
【図２２】音楽を再生中のシャッタ・レリーズ・ボタンが押されたときの音楽と音楽ファイルとの関係を示している。
【図２３】（Ａ）および（Ｂ）は，ディジタル・スチル・カメラの液晶表示装置の表示画面の一例である。
【図２４】ディジタル・スチル・カメラの処理手順の一部を示すフローチャートである。
【図２５】ディジタル・スチル・カメラの処理手順の一部を示すフローチャートである。
【図２６】ディジタル・スチル・カメラの背面図である。
【符号の説明】
【００９７】
１  ディジタル・スチル・カメラ
４  液晶表示装置
６  メモリ・カード
７  シャッタ・レリーズ・ボタン
10  メインＣＰＵ
12  ＣＣＤ
21  圧縮伸張回路
25  音楽ファイル伸張処理回路
26  通信インターフェイス
40  携帯電話
83  データベース
84  画像サーバ
【図１】
2008252901.tif 000003
【図２】
2008252901.tif 000004
【図３】
2008252901.tif 000005
【図４】
2008252901.tif 000006
【図５】
2008252901.tif 000007
【図６】
2008252901.tif 000008
【図７】
2008252901.tif 000009
【図８】
2008252901.tif 000010
【図９】
2008252901.tif 000011
【図１０】
2008252901.tif 000012
【図１１】
2008252901.tif 000013
【図１２】
2008252901.tif 000014
【図１３】
2008252901.tif 000015
【図１４】
2008252901.tif 000016
【図１５】
2008252901.tif 000017
【図１６】
2008252901.tif 000018
【図１７】
2008252901.tif 000019
【図１８】
2008252901.tif 000020
【図１９】
2008252901.tif 000021
【図２０】
2008252901.tif 000022
【図２１】
2008252901.tif 000023
【図２２】
2008252901.tif 000024
【図２３】
2008252901.tif 000025
【図２４】
2008252901.tif 000026
【図２５】
2008252901.tif 000027
【図２６】
2008252901.tif 000028